(57)【要約】【課題】簡易かつ安全なエアゾール組成で、低コストで製造することができ、しかも、多量のマイナスイオンを発生させることのできる、マイナスイオン発生用エアゾール組成物およびマイナスイオン発生用エアゾール噴射装置を提供すること。【解決手段】マイナスイオン発生用エアゾール噴射装置に、３０〜６０重量部のジメチルエーテルと、５〜３０重量部のエチルアルコールと、６０〜３０重量部の水とを含有するマイナスイオン発生用エアゾール組成物を充填する。このマイナスイオン発生用エアゾール組成物が充填されたマイナスイオン発生用エアゾール噴射装置では、簡易かつ安全なエアゾール組成で、多量のマイナスイオンを発生でき、低コストで提供することができる。また、マイナスイオン発生用エアゾール組成物を噴射すれば、マイナスイオンを空間中に多量に増加させることができるので、空間の空気の質を改善し、ヒーリング効果を高めることができる。【選択図】　　図１
2004143246.tif 000002
【特許請求の範囲】
【請求項１】
３０〜６０重量部のジメチルエーテルと、５〜３０重量部のエチルアルコールと、６０〜３０重量部の水とを含有することを特徴とする、マイナスイオン発生用エアゾール組成物。
【請求項２】
請求項１に記載のマイナスイオン発生用エアゾール組成物が充填されていることを特徴とする、マイナスイオン発生用エアゾール噴射装置。
【発明の詳細な説明】
【０００１】
【発明の属する技術分野】
本発明は、多量のマイナスイオンを発生させることのできるマイナスイオン発生用エアゾール組成物およびマイナスイオン発生用エアゾール噴射装置に関する。
【０００２】
【従来の技術】
近年、マイナスイオンが人体に対して好影響を及ぼすことが知られており、多量のマイナスイオンの存在によるヒーリング効果への関心が高まってきている。
【０００３】
また、建材等からのホルムアルデヒドの放出・拡散等による人体への悪影響が懸念されており、これに対して、マイナスイオンの存在が効果的であることも知られている。
【０００４】
たとえば、特開２００２−２７４５８０号公報では、エタノールおよび檜またはヒバの精油の混合液を噴射することによって、簡便に大気中の負イオンを増加させ、空気の質を改善することができ、噴霧してからしばらくの間、大気中の負イオンが増加した状態を保つことができる負イオン供給用エアゾール缶が提案されている。
【０００５】
【特許文献１】
特開２００２−２７４５８０号公報
【発明が解決しようとする課題】
ところが、このエアゾール缶には、エタノールおよび檜またはヒバの精油の混合液と噴射剤とを充填するため、その配合および充填に手間がかかり、また、多量のエタノールを含有するために爆発のおそれが高く、さらには、エタノール以外の檜またはヒバの精油の配合により、コストの上昇が不可避となる。そのため、このようなエアゾール缶を、低コストで製造することは困難である。
【０００６】
そこで、本発明は、このような不具合に鑑みなされたもので、その目的とするところは、簡易かつ安全なエアゾール組成で、低コストで製造することができ、しかも、多量のマイナスイオンを発生させることのできる、マイナスイオン発生用エアゾール組成物およびマイナスイオン発生用エアゾール噴射装置を提供することにある。
【０００７】
【課題を解決するための手段】
上記目的を達成するため、本発明は、マイナスイオン発生用エアゾール組成物として、３０〜６０重量部のジメチルエーテルと、５〜３０重量部のエチルアルコールと、６０〜３０重量部の水とを含有することを特徴としている。
【０００８】
また、本発明は、上記のマイナスイオン発生用エアゾール組成物が充填されているマイナスイオン発生用エアゾール噴射装置をも含んでいる。
【０００９】
【発明の実施の形態】
本発明のマイナスイオン発生用エアゾール組成物は、ジメチルエーテル、エチルアルコールおよび水を含有している。
【００１０】
本発明においては、噴射剤として、ジメチルエーテルが用いられる。また、本発明では、噴射剤として、ジメチルエーテルに、液化石油ガス（ＬＰＧ）、フロロカーボンなどの液化ガス、例えば、窒素ガス、炭酸ガス、圧縮空気、亜酸化窒素などの圧縮ガスなどを配合してもよい。
【００１１】
また、本発明においては、ジメチルエーテルの水に対する相溶性を高めるために、エチルアルコールが用いられる。
【００１２】
そして、本発明のマイナスイオン発生用エアゾール組成物は、ジメチルエーテル３０〜６０重量部、エチルアルコール５〜３０重量部、および、水６０〜３０重量部の割合で配合することによって、図１に示す三角図の斜線部分の組成として調製される。
【００１３】
ジメチルエーテルが３０重量部未満であると、マイナスイオン発生用エアゾール組成物の噴射時の液滴が粗くなり、マイナスイオンの発生量が少なくなる。また、ジメチルエーテルが６０重量部を超えると、マイナスイオン発生用エアゾール組成物の爆発濃度が低くなるおそれを生じる。
【００１４】
また、エチルアルコールが５重量部未満であると、ジメチルエーテルの水に対する相溶性が低下して、マイナスイオン発生用エアゾール組成物の噴射時の液滴が粗くなり、安定した噴射を確保することができない。また、エチルアルコールが３０重量部を超えると、マイナスイオン発生用エアゾール組成物の爆発濃度が低くなるおそれを生じる。
【００１５】
また、水が３０重量部未満であると、エチルアルコールおよびジメチルエーテルの割合が多くなり、マイナスイオン発生用エアゾール組成物の爆発濃度が低くなるおそれを生じる。また、水が６０重量部を超えると、マイナスイオン発生用エアゾール組成物の噴射時の液滴の大きさが粗くなり、安定した噴射を確保できない。
【００１６】
また、このような配合においては、ジメチルエーテル４０〜６０重量部、エチルアルコール５〜２０重量部、および、水５５〜３０重量部の割合（図１に示す三角図の網線で示す範囲）であることが、さらに好ましい。
【００１７】
このような割合で配合することにより、簡易かつ安全なエアゾール組成で、多量のマイナスイオンを発生させることができる。
【００１８】
なお、本発明のマイナスイオン発生用エアゾール組成物において、噴射剤として、ジメチルエーテルに圧縮ガスを配合する場合には、それらの合計として、３０〜６０重量部の割合で用いることが好ましい。
【００１９】
そして、このようなマイナスイオン発生用エアゾール組成物は、上記した各成分を、適宜公知の方法によって配合（あるいは、エアゾール噴射装置に充填）することにより、調製することができる。
【００２０】
このようにして調製された本発明のマイナスイオン発生用エアゾール組成物は、後述するマイナスイオン発生用エアゾール噴射装置に充填して噴射すれば、細かい液滴をより多く含む霧状に安定して噴霧することができるので、多量のマイナスイオンを発生させることができる。
【００２１】
しかも、このマイナスイオン発生用エアゾール組成物は、マイナスイオンを発生させるための特別の成分を配合することなく、既存の成分による簡易なエアゾール組成であり、しかも、低コストで製造することができる。
【００２２】
さらには、本発明のマイナスイオン発生用エアゾール組成物は、上記した各成分を上記の割合とすることによって、マイナスイオン発生用エアゾール組成物の爆発に至るまでの濃度が高く、しかも、噴射した後も、床に濡れやべとつきを生じず、多量のマイナスイオンを含む安全なエアゾールとして噴射することができる。
【００２３】
そのため、例えば、室内での噴射に適し、室内のヒーリング効果を効率よく高めることができる。
【００２４】
なお、本発明のマイナスイオン発生用エアゾール組成物には、例えば、香料などの公知の添加剤を、本発明の効果を阻害しない範囲において適宜配合してもよい。例えば、マイナスイオン発生用エアゾール組成物に香料を配合すれば、ヒーリング効果を高めることができる。
【００２５】
そして、本発明のマイナスイオン発生用エアゾール噴射装置には、上記によって調製される本発明のマイナスイオン発生用エアゾール組成物が充填されている。
【００２６】
このようなマイナスイオン発生用エアゾール噴射装置は、本発明のマイナスイオン発生用エアゾール組成物を噴射できれば、特に限定されないが、好ましくは、エアゾール缶が用いられる。
【００２７】
本発明のマイナスイオン発生用エアゾール組成物を、エアゾール缶に充填すれば、持ち運びが容易となり、所望の空間およびタイミングにおいて、本発明のマイナスイオン発生用エアゾール組成物を所望量噴霧することができる。
【００２８】
このようなエアゾール缶としては、例えば、図２に示すものが例示される。
【００２９】
図２において、このエアゾール缶１は、マイナスイオン発生用エアゾール組成物が封入される容器本体２と、マイナスイオン発生用エアゾール組成物を噴出するための噴出操作部３とを備えている。
【００３０】
容器本体２は、金属材料によって形成されており、中空の耐圧容器として構成されている。また、容器本体２の開口部には、容器本体２の内部に充填したマイナスイオン発生用エアゾール組成物を噴出するための、公知の機構であるエアゾールバルブ（図示せず）が設けられている。
【００３１】
そして、マイナスイオン発生用エアゾール組成物を容器本体２に充填する場合には、エアゾールバルブを介して、例えば、冷却充填法、圧力充填法、インパクト充填法、サチュレータ充填法、ガッサーシューカー充填法などの公知の方法によって充填することができる。こうして、容器本体２に充填されたマイナスイオン発生用エアゾール組成物は、容器本体２の内部において高圧力状態が保持される。
【００３２】
噴出操作部３は、プラスチック材料によって形成されており、ベース部４および可動部５を一体的に備えている。
【００３３】
ベース部４は、容器本体２に固定され、可動部５は、ベース部４に対して揺動可能とされている。そして、ベース部４が容器本体２に固定された状態で、可動部５が、容器本体２のエアゾールバルブと接続されている。また、可動部５には、噴出口６および操作部７が設けられており、この操作部７を押下することによって、可動部５の全体がベース部４に対して押下されるとともに、可動部５に接続された図示しないエアゾールバルブが押下され、これによって、容器本体２の内部に充填されたマイナスイオン発生用エアゾール組成物が噴出口６から噴出される。
【００３４】
そして、このようにして、本発明のマイナスイオン発生用エアゾール組成物が充填されるマイナスイオン発生用エアゾール噴射装置では、本発明のマイナスイオン発生用エアゾール組成物が噴射されると、細かい液滴をより多く含む霧状に安定して噴霧することができるので、多量のマイナスイオンを発生させることができる。そのため、このような本発明のマイナスイオン発生用エアゾール噴射装置によれば、充填されているマイナスイオン発生用エアゾール組成物を空間中に噴射することによって、マイナスイオンを空間中に多量に増加させることができる。その結果、空間の空気の質を改善することができ、ヒーリング効果を高めることができる。
【００３５】
【実施例】
以下に、実施例および比較例を挙げて本発明をさらに具体的に説明するが、本発明は、これら実施例および比較例に何ら限定されるものではない。
【００３６】
（１）実施例および比較例の調製
実施例１
ジメチルエーテル　　　　　　　　６０重量部
エチルアルコール　　　　　　　　１０重量部
水　　　　　　　　　　　　　　　３０重量部
上記の組成において、ジメチルエーテル、エチルアルコール、水を配合し、これを図２に例示されるタイプのエアゾール缶に充填した。
【００３７】
実施例２
ジメチルエーテル　　　　　　　　４０重量部
エチルアルコール　　　　　　　　１０重量部
水　　　　　　　　　　　　　　　５０重量部
上記の組成において、ジメチルエーテル、エチルアルコール、水を配合し、これを図２に例示されるタイプのエアゾール缶に充填した。
【００３８】
実施例３
ジメチルエーテル　　　　　　　　４０重量部
エチルアルコール　　　　　　　　３０重量部
水　　　　　　　　　　　　　　　３０重量部
上記の組成において、ジメチルエーテル、エチルアルコール、水を配合し、これを図２に例示されるタイプのエアゾール缶に充填した。
【００３９】
実施例４
ジメチルエーテル　　　　　　　　４０重量部
エチルアルコール　　　　　　　　　５重量部
水　　　　　　　　　　　　　　　５５重量部
上記の組成において、ジメチルエーテル、エチルアルコール、水を配合し、これを図２に例示されるタイプのエアゾール缶に充填した。
【００４０】
実施例５
ジメチルエーテル　　　　　　　　４０重量部
エチルアルコール　　　　　　　　２０重量部
水　　　　　　　　　　　　　　　４０重量部
上記の組成において、ジメチルエーテル、エチルアルコール、水を配合し、これを図２に例示されるタイプのエアゾール缶に充填した。
【００４１】
実施例６
ジメチルエーテル　　　　　　　　５０重量部
エチルアルコール　　　　　　　　　５重量部
水　　　　　　　　　　　　　　　４５重量部
上記の組成において、ジメチルエーテル、エチルアルコール、水を配合し、これを図２に例示されるタイプのエアゾール缶に充填した。
【００４２】
実施例７
ジメチルエーテル　　　　　　　　５５重量部
窒素ガス　　　　　　　　　　　　　５重量部
エチルアルコール　　　　　　　　１０重量部
水　　　　　　　　　　　　　　　３０重量部
上記の組成において、ジメチルエーテル、窒素ガス、エチルアルコール、水を配合し、これを図２に例示されるタイプのエアゾール缶に充填した。
【００４３】
実施例８
ジメチルエーテル　　　　　　　　４５重量部
窒素ガス　　　　　　　　　　　　　５重量部
エチルアルコール　　　　　　　　１０重量部
水　　　　　　　　　　　　　　　４０重量部
上記の組成において、ジメチルエーテル、窒素ガス、エチルアルコール、水を配合し、これを図２に例示されるタイプのエアゾール缶に充填した。
【００４４】
実施例９
ジメチルエーテル　　　　　　　　３５重量部
窒素ガス　　　　　　　　　　　　　５重量部
エチルアルコール　　　　　　　　１０重量部
水　　　　　　　　　　　　　　　５０重量部
上記の組成において、ジメチルエーテル、窒素ガス、エチルアルコール、水を配合し、これを図２に例示されるタイプのエアゾール缶に充填した。
【００４５】
比較例１
ジメチルエーテル　　　　　　　　７０重量部
水　　　　　　　　　　　　　　　３０重量部
上記の組成において、ジメチルエーテルと、水とを配合し、これを図２に例示されるタイプのエアゾール缶に充填した。
【００４６】
比較例２
ジメチルエーテル　　　　　　　　５０重量部
水　　　　　　　　　　　　　　　５０重量部
上記の組成において、ジメチルエーテルと、水とを配合し、これを図２に例示されるタイプのエアゾール缶に充填した。
【００４７】
比較例３
ジメチルエーテル　　　　　　　　３０重量部
水　　　　　　　　　　　　　　　７０重量部
上記の組成において、ジメチルエーテルと、水とを配合し、これを図２に例示されるタイプのエアゾール缶に充填した。
【００４８】
比較例４
ジメチルエーテル　　　　　　　　２０重量部
エチルアルコール　　　　　　　　１０重量部
水　　　　　　　　　　　　　　　７０重量部
上記の組成において、ジメチルエーテル、エチルアルコール、水を配合し、これを図２に例示されるタイプのエアゾール缶に充填した。
【００４９】
比較例５
ジメチルエーテル　　　　　　　　７０重量部
エチルアルコール　　　　　　　　３０重量部
上記の組成において、ジメチルエーテルと、エチルアルコールとを配合し、これを図２に例示されるタイプのエアゾール缶に充填した。
【００５０】
比較例６
ジメチルエーテル　　　　　　　　５０重量部
エチルアルコール　　　　　　　　３０重量部
水　　　　　　　　　　　　　　　２０重量部
上記の組成において、ジメチルエーテル、エチルアルコール、水を配合し、これを図２に例示されるタイプのエアゾール缶に充填した。
【００５１】
比較例７
ジメチルエーテル　　　　　　　　２０重量部
エチルアルコール　　　　　　　　３０重量部
水　　　　　　　　　　　　　　　５０重量部
上記の組成において、ジメチルエーテル、エチルアルコール、水を配合し、これを図２に例示されるタイプのエアゾール缶に充填した。
【００５２】
比較例８
ジメチルエーテル　　　　　　　　２０重量部
エチルアルコール　　　　　　　　５０重量部
水　　　　　　　　　　　　　　　３０重量部
上記の組成において、ジメチルエーテル、エチルアルコール、水を配合し、これを図２に例示されるタイプのエアゾール缶に充填した。
【００５３】
比較例９
ジメチルエーテル　　　　　　　　２０重量部
エチルアルコール　　　　　　　　７０重量部
水　　　　　　　　　　　　　　　１０重量部
上記の組成において、ジメチルエーテル、エチルアルコール、水を配合し、これを図２に例示されるタイプのエアゾール缶に充填した。
【００５４】
（２）評価
１）マイナスイオン発生量の測定
各実施例および各比較例のエアゾール缶から噴射されるマイナスイオン発生量を測定した。マイナスイオン発生量の測定では、まず、幅×長さ×高さ＝６×９×３（ｍ）の部屋の中央に机を配置して、その机の上に空気イオンカウンタｉｎｔｉ　ＩＴＣ−２０１Ａ（アンデス電気株式会社製）を載置した。
【００５５】
次いで、空気イオンカウンタのサンプリング口の位置から、縦横および高さ方向に各２５ｃｍ離れた位置に、エアゾール缶の噴射口を空気イオンカウンタのサンプリング口が向く方向と直交する方向に配置して、各エアゾール組成物を噴射し、空気中のマイナスイオンを測定した。その結果を表１に示す。
【００５６】
２）爆発濃度の測定
４５Ｌの容器（以下、爆発室という。）であって、その一方の端は、その上部が蝶番で止められ、内圧により自由に開く蓋とされ、他方の端には、試料の吹込口が設けられ、その内部には、モータによって駆動される攪拌羽根および点火用プラグが設けられている試験装置を用意した。
【００５７】
そして、爆発室内の温度を２５℃に調整し、攪拌羽根を回転させるとともに、点火用プラグのスイッチを入れ、各実施例および各比較例において調整されたエアゾール組成物を試料として、１秒間噴射、２秒間停止を交互に繰り返し、爆発により蓋が開放された時点で噴射を停止し、次式により爆発濃度を算出した。その結果を表１に示す。
【００５８】
Ｅｃ＝（Ｗ１−Ｗ２）／Ｖ
Ｅｃ：爆発濃度、Ｖ：試験装置の内容積（Ｌ）、Ｗ１：試料の噴射前の質量（ｇ）、Ｗ２：試料の爆発後の質量（ｇ）
３）液滴の状態
各実施例および各比較例のエアゾール缶から、エアゾール組成物を噴射したときの液滴の状態（粗さ）を目視により観察した。その結果を表１に示す。
【００５９】
４）噴射の状態
各実施例および各比較例のエアゾール缶から、エアゾール組成物を噴射したときの噴射の状態（噴射状態および噴射後における噴射方向の床面の状態）を目視により観察した。その結果を表１に示す。
【００６０】
【表１】
2004143246.tif 000003
表１から、液滴の状態が細かくなるほど、マイナスイオンが増加していることがわかる。そして、実施例のエアゾール組成物は、非常に細かい液滴を安定して噴霧することができるので、多量のマイナスイオンを発生させていることがわかる。また、実施例のエアゾール組成物は、爆発に至るまでの濃度が高く、より安全であることがわかる。
【００６１】
【発明の効果】
以上述べたように、本発明のマイナスイオン発生用エアゾール組成物は、マイナスイオン発生用エアゾール噴射装置に充填して噴射すれば、細かい液滴をより多く含む霧状に安定して噴霧することができるので、多量のマイナスイオンを発生させることができる。
【００６２】
しかも、このマイナスイオン発生用エアゾール組成物は、マイナスイオンを発生させるための特別の成分を配合することなく、既存の成分による簡易なエアゾール組成であるため、低コストで製造することができる。
【００６３】
さらには、本発明のマイナスイオン発生用エアゾール組成物は、ジメチルエーテル、エチルアルコールおよび水を所定の割合とすることによって、マイナスイオン発生用エアゾール組成物の爆発に至るまでの濃度が高く、しかも、噴射した後も、床に濡れやべとつきを生じず、多量のマイナスイオンを含む安全なエアゾールとして噴射することができる。
【００６４】
そのため、例えば、室内での噴射に適し、室内のヒーリング効果を効率よく高めることができる。
【００６５】
そして、本発明のマイナスイオン発生用エアゾール組成物が充填されるマイナスイオン発生用エアゾール噴射装置では、本発明のマイナスイオン発生用エアゾール組成物が噴射されるので、多量のマイナスイオンを発生させることができる。そのため、このような本発明のマイナスイオン発生用エアゾール噴射装置によれば、充填されているマイナスイオン発生用エアゾール組成物を空間中に噴射することによって、マイナスイオンを空間中に多量に増加させることができる。その結果、空間の空気の質を改善することができ、ヒーリング効果を高めることができる。
【図面の簡単な説明】
【図１】本発明のマイナスイオン発生用エアゾール組成物の組成範囲を示す三角図である。
【図２】本発明のマイナスイオン発生用エアゾール噴射装置の一実施形態としてのエアゾール缶を示す側面図である。
【符号の説明】
１　　エアゾール缶
【図１】
2004143246.tif 000004
【図２】
2004143246.tif 000005